(57)【要約】【課題】詰まったシートを容易に取り出せるようにすること。【解決手段】ペーパデッキ３００は、装置本体３００Ａと、装置本体３００Ａに着脱可能に装着されて、シートを収納するシート収納ユニットと、装置本体３００Ａに設けられて、シート収納ユニットに収納されたシートを、シート収納ユニットの着脱方向に対して交差する方向にシートを給送するシート給送部と、装置本体３００Ａに設けられて、シート給送部によってシート収納部から給送されるシートの両面を案内する上ガイド部材２２及び下ガイド部材２５と、を備え、上ガイド部材２２及び下ガイド部材２５の、側端部２２ｃ、２５ｃが開放されている。上ガイド部材２２と下ガイド部材２５との間に詰まったシートは、シート収納ユニットとともに引き出されるとき、開放された側端部２２ｃ、２５ｃから、障害物に当たることなく、引き出されるので、損傷を受けることが殆ど無い。【選択図】図４
2016005974.tif 000002
【特許請求の範囲】
【請求項１】
装置本体と、
前記装置本体に着脱可能に装着されて、シートを収納するシート収納部と、
前記装置本体に設けられて、前記シート収納部に収納されたシートを、前記シート収納部の着脱方向に対して交差する方向にシートを給送するシート給送部と、
前記装置本体に設けられて、前記シート給送部によって前記シート収納部から給送されるシートの両面を案内する１対のシート案内部と、を備え、
１対の前記シート案内部は、シート給送方向に沿った両側端部の内、前記シート収納部の着脱側の側端部が開放されている、
ことを特徴とするシート収納装置。
【請求項２】
１対の前記シート案内部の前記シート給送方向の下流側端部に設けられて、前記装置本体の外部に突出した延長部と、
１対の前記シート案内部の下流側端部に渡して設けられた接続部材と、を備え、
前記接続部材は、前記延長部を避けた位置に、前記延長部よりさらに前記装置本体から遠ざかる方向に突出して設けられている、
ことを特徴とする請求項１に記載にシート収納装置。
【請求項３】
シートを収納して、該シートを給送するシート収納装置と、
前記シート収納装置から給送されたシートに画像を形成する画像形成部と、を備え、
前記シート収納装置は、請求項１又は２に記載のシート収納装置である、
ことを特徴とする画像形成装置。
【発明の詳細な説明】
【技術分野】
【０００１】
本発明は、シートを収納し、そのシートを給送するシート収納装置と、このシート収納装置を装置本体に備えた画像形成装置とに関する。
【背景技術】
【０００２】
従来、シートに画像を形成する複写機、プリンタ等の画像形成装置は、シートを収納し、そのシートを給送するシート収納装置と、このシート収納装置から給送されたシートに画像を形成する画像形成部とを備えた構造のものがある（特許文献１）。
【０００３】
図９、図１０、図１１は、従来のシート収納装置の図である。このシート収納装置は、シートを収納するシート収納部９００を備えている。シート収納部９００は、シート収納装置の装置本体との間に設けられたレール９０７によって、装置本体に対して収納された位置と装置本体から引き出された位置との間を矢印Ｂ方向に移動できるようになっている。
【０００４】
シート収納部９００には、図１０、図１１に示すように、サイド規制板９０１，９０２と、後端規制板９０９とが設けられている。サイド規制板９０１，９０２は、シート収納部の着脱方向Ｂに接近離間移動して、着脱方向Ｂに対して直角なシート給送方向Ａに沿った、シートＰの側端を揃えるようになっている。後端規制板９０９は、シート給送方向Ａに移動して、シートのシート給送方向Ａの上流端（後端）を整合するようになっている。
【０００５】
シート収納部９００の上方には、ピックアップローラ９０４が配置されている。ピックアップローラ９０４は、シート収納部９００に収納したシートの内、最上位のシートに接触して回転し、該シートをシート収納部９００から送り出すようになっている。ピックアップローラ９０４のシート給送方向Ａの下流側には、搬送ローラ対９０５と、この搬送ローラ対９０５によって給送されるシートを案内する上下１対のガイド板９０８，９０９とが配設されている。
【０００６】
シート収納部９００内のシートＰは、不図示の昇降装置によって昇降傾動する底板９１０（図９）によって上昇させられる。そいて、最上位のシートがピックアップローラ９０４に圧接され、ピックアップローラ９０４によって、搬送ローラ対９０５に搬送される。
【０００７】
ところが、従来のシート収納装置は、ピックアップローラ９０４によって矢印Ａ方向に給送されたシートＰ２が、搬送ローラ対９０５に詰まることがある。この場合、ユーザは、詰まったシートＰ２を除去しようとして、シート収納部９００を矢印Ｂの手前側に引き出す。すると、詰まったシートＰ２が図１１の点線で示すように、シート収納部９００の側壁９００ａと奥側のサイド規制板９０１との間の間隙Ｓをすり抜けて、装置本体内に残ることがある。詰まったシートＰ２は、装置本体の奥側に残るので、取り除くのが困難である。
【０００８】
そこで、従来のシート収納装置は、図１０に示すように、係合部材９０６を、シート収納部９００の引き出し方向Ｂの奥側のサイド規制板９０１のシート給送方向Ａの端部に、突出して設けてある。このため、従来のシート収納装置は、シートが詰まって、ユーザがシート収納部９００を引き出したとき、シートの撓みが少ない位置で係合部材９０６がシートの端部に係合するので、シート収納部９００の引き出しに伴って確実にシートを引き出すことができる。
【先行技術文献】
【特許文献】
【０００９】
【特許文献１】特許第３９７３９６９号公報
【発明の概要】
【発明が解決しようとする課題】
【００１０】
しかし、従来のシート収納装置における搬送ローラ対９０５の端部は、シート収納部９００を引き出すための開口部９１１を形成した不図示の前側板や外装カバーに支持されている。一方、シートは、シートの先端部が、図９で示す搬送ローラ対９０５よりも下流側で詰まることがある。この場合、シート収納部９００を手前側に引き出しても、詰まったシートの先端部が、前側板や外装カバーと干渉して、シートをシート収納部９００と共に、引き出すことができない場合がある。このように、従来のシート収納装置は、係合部材９０６を設けたとしても、詰まったシートがシート収納装置内に残って、詰まったシートを取出すのが困難であり、取出すのに時間を要することがあった。
【００１１】
また、詰まったシートを取り出すのに時間を要するシート収納装置を装置本体に備えた画像形成装置は、その分、停止時間が長くなり、単位時間当たりに画像を形成するシートの枚数が少なくなるという問題があった。
【００１２】
本発明は、詰まったシートを容易に取り出せるシート収納装置と、このシート収納装置を装置本体に備えた画像形成装置とを提供することにある。
【課題を解決するための手段】
【００１３】
本発明のシート収納装置は、装置本体と、前記装置本体に着脱可能に装着されて、シートを収納するシート収納部と、前記装置本体に設けられて、前記シート収納部に収納されたシートを、前記シート収納部の着脱方向に対して交差する方向にシートを給送するシート給送部と、前記装置本体に設けられて、前記シート給送部によって前記シート収納部から給送されるシートの両面を案内する１対のシート案内部と、を備え、１対の前記シート案内部は、シート給送方向に沿った両側端部の内、前記シート収納部の着脱側の側端部が開放されている、ことを特徴としている。
【００１４】
本発明の画像形成装置は、シートを収納して、該シートを給送するシート収納装置と、前記シート収納装置から給送されたシートに画像を形成する画像形成部と、を備え、前記シート収納装置は、上記のシート収納装置である、ことを特徴としている。
【発明の効果】
【００１５】
本発明のシート収納装置およびこのシート収納装置を備えた画像形成装置は、シート収納部を装置本体から引き出すのにともなって、詰まっているシートを短時間で、かつ容易に引き出すことができる。
【図面の簡単な説明】
【００１６】
【図１】本発明の実施形態における画像形成装置のシート給送方向に沿った断面図である。
【図２】本発明の実施形態におけるシート収納装置としてのペーパデッキの、シート収納部としてのシート収納ユニットの外観斜視図である。
【図３】図２のペーパデッキのシートを送り出す部分の拡大図である。
【図４】図２のペーパデッキのシートを送り出す部分の斜視図である。
【図５】図４において、接続部材を取付ける状態を示した図である。
【図６】シート収納ユニットをペーパデッキの装置本体から手前側に引き出したときの図である。
【図７】詰まったシートを取り除くのに、シート収納ユニットをペーパデッキの装置本体から手前側に引き出したときの図である。
【図８】上ガイド部材と下ガイド部材との手前側端部を開放しない場合のペーパデッキの図である。
【図９】従来のシート収納装置の詰まったシートの位置を示す断面図である。
【図１０】従来のシート収納装置の詰まったシートが係合部材に引っ掛かった状態を示した斜視図である。
【図１１】従来のシート収納部の詰まったシートの状態を示す斜視図である。
【発明を実施するための形態】
【００１７】
以下、本発明を実施形態のシート収納装置と、このシート収納装置を装置本体に備えた画像形成装置とを図に基づいて説明をする。
【００１８】
（画像形成装置）
図１は、本発明の実施形態の画像形成装置のシート給送方向に沿った断面図である。
【００１９】
画像形成装置１００は、装置本体１００Ａと、装置本体１００Ａの上部に設けられた画像読取装置２００とを備えている。
【００２０】
画像読取装置２００は、原稿を読み取るようになっている。画像読取装置２００は、走査光学系光源２０１、プラテンガラス２０２、プラテンガラス２０２の上面を開閉する原稿圧板２０３、レンズ２０４、光電変換素子２０５、画像処理部２０６を備えている。さらに、画像読取装置２００は、画像処理部２０６にて処理された画像処理信号を記憶しておくためのメモリ部２０８等も備えている。
【００２１】
そして、画像読取装置２００は、ユーザによってプラテンガラス２０２の上に載置された不図示の原稿への走査光学系光源２０１の光の照射とその反射光の受光とによって原稿を読み取る。そして、画像読取装置２００は、読み取った原稿の画像を、画像処理部２０６で電気信号２０７に変換して、レーザスキャナ１１１に画像情報として伝送をする。なお、画像読取装置２００は、画像処理部２０６にて処理され、符号化された画像情報を一旦メモリ部２０８に記憶させ、後述するコントローラ１２０からの信号によって、必要に応じてレーザスキャナ１１１に伝送することもできる。
【００２２】
画像形成装置の装置本体１００Ａは、第１〜第４シート給送装置１０１〜１０４と、シート搬送装置１２４と、画像形成部１２３等を備えている。
【００２３】
第１〜第４シート給送装置１０１〜１０４は、それぞれシートを収納するカセット１０と、ピックアップローラ１１と、フィードローラ１２１及びリタードローラ１３１から成る分離部とを備えている。第１〜第４シート給送装置１０１〜１０４は、カセット１０内のシートＰを、所定のタイミングで昇降／回転するピックアップローラ１１と、分離部との作用によって１枚ずつ、シート搬送装置１２４に給送する。
【００２４】
また、フィードローラ１２１とリタードローラ１３１のシート給送方向下流側近傍には給紙センサ１４が設けられており、この給紙センサ１４によりシートＰの通過が検出される。
【００２５】
シート搬送装置１２４は、搬送ローラ対１５と、プレレジストローラ対１３０及びレジストローラ対１１０を有するレジストローラ部とを備えている。そして、シート搬送装置１２４は、シート給送装置１０１〜１０４から給送されたシートＰを、搬送ローラ対１５及びプレレジストローラ対１３０によりシート搬送路１０８を通過させて、レジストローラ対１１０に案内する。さらに、シート搬送装置１２４は、シートＰを、レジストローラ対１１０によって画像形成部１２３に搬送する。
【００２６】
画像形成部１２３は、感光体ドラム１１２、レーザスキャナ１１１、現像器１１４、転写帯電器１１５、分離帯電器１１６等を備えている。感光体ドラム１１２は、レーザスキャナ１１１からのレーザ光がミラー１１３によって折り返されて照射され、表面に潜像が形成される。このとき、感光体ドラム１１２は、図１において、右回転している。潜像は、現像器１１４によってトナー像として可視像化される。
【００２７】
転写帯電器１１５は、転写部１１２ｂにおいて、トナー像をシートＰに転写する。分離帯電器１１６は、トナー像が転写されたシートＰを感光体ドラム１１２から分離する。そして、搬送ベルト１１７がシートを定着装置１１８に搬送する。定着装置１１８はシートにトナー像を定着し、排出ローラ１１９はシートを排出する。
【００２８】
また、定着装置１１８と排出ローラ１１９との間の搬送経路中に設けられた排紙センサ１２２は、排出されるシートＰの通過を検知する。
【００２９】
なお、本実施形態の画像形成装置の装置本体１００Ａと画像読取装置２００は別体であるが、一体であってもよい。また、画像形成装置の装置本体１００Ａは、画像読取装置２００と別体でも一体でも、複写機として機能する他に、外部のＦＡＸの送信信号を入力すればＦＡＸとして機能し、さらに、パソコンの出力信号を入力すればプリンタとしても機能するようになっている。
【００３０】
逆に、装置本体１００Ａは、画像読取装置２００の画像処理部２０６の処理信号を、他のＦＡＸに送信すれば、ＦＡＸとして機能する。また、画像読取装置２００は、圧板２０３に変わって２点鎖線で示すような原稿自動送り装置２５０を装備すると、原稿を自動的に読み取ることもできる。
【００３１】
（シート収納装置としてのペーパデッキ）
図１の画像形成装置の装置本体１００Ａに装備された本発明の実施形態のシート収納装置としてのペーパデッキ３００を説明する。図２は本発明の実施形態におけるシート収納装置としてのペーパデッキ３００の、シート収納部としてのシート収納ユニット３００Ｂの外観斜視図である。図３は、図２のペーパデッキ３００のシートを送り出す部分の拡大図である。図４は、図２のペーパデッキ３００のシートを送り出す部分の斜視図である。図５は、図４において、接続部材２８を取付ける状態を示した図である。図６は、シート収納ユニット３００Ｂをペーパデッキの装置本体３００Ａから手前側に引き出したときの図である。図７は、詰まったシートＰ２を取り除くのに、シート収納ユニット３００Ｂをペーパデッキの装置本体３００Ａから手前側に引き出したときの図である。
【００３２】
ペーパデッキ３００は、図１に示す装置本体３００Ａと、シート収納部としてのシート収納ユニット３００Ｂと、シート給送部３００Ｃと、図３に示すガイドユニット２４，２７と、接続部材２８等で構成されている。
【００３３】
図１に示すように、装置本体３００Ａは、画像形成装置１００の装置本体１００Ａに接続されている。装置本体３００Ａは、シート収納ユニット３００Ｂと、図３に示すガイドユニット２４，２７等を内部に備えている。
【００３４】
図２において、シート収納部としてのシート収納ユニット３００Ｂは、装置本体３００Ａに着脱可能に装着されて、シートを収納するようになっている。シート収納ユニット３００Ｂの着脱方向Ｂは、シート給送方向Ａに対して交差（好ましくは直交）する方向である。シート収納ユニット３００Ｂは、ハウジング３０１と、リフタ台６１と、１対のサイド規制板８０と、後端規制板８７等で形成されている。
【００３５】
図２において、ハウジング３０１は、全体的に方形状の６面の内、２面が開放された形状に形成されている。リフタ台６１は、ユーザによって載置されたシートＰを積載して不図示の昇降装置により、ハウジング３０１内を昇降するようになっている。１対のサイド規制板８０は、ハウジング３０１の底板６３に設けられて、ユーザの操作によって、ハウジング３０１の着脱方向Ｂに互いに接近離間移動して、リフタ台６１に載置されているシートのシート給送方向Ａに沿った両側端を整合するようになっている。後端規制板８７もハウジング３０１の底板６３に設けられて、ユーザの操作によって、シートの給送方向Ａに移動できるようになっている。後端規制板８７は、ハウジング３０１の側板８６に接近離間し、リフタ台６１に載置されているシートの前端と後端を整合するようになっている。
【００３６】
図２、図３において、ピックアップローラ５１は、後述する上ガイドユニット２４に組み込まれている。ピックアップローラ５１は、リフタ台６１によって上昇してくるシート束の内、最上位のシートを受け止めて、図２の矢印Ｃ方向に回転し、その最上位のシートをハウジング３０１から画像形成装置の装置本体１００Ａ側に給送するようになっている。分離ローラ１２は上ガイドユニット２４に設けられ、リタードローラ１３は下ガイドユニット２７に設けられている。分離ローラ１２とリタードローラ１３は、通常、圧接してニップを形成している。そのニップにピックアップローラ５１からシートが重なって給送されてくると、リタードローラ１３が下側のシートをハウジング３０１に戻すようになっている。そして、分離ローラ１２が上側のシートを１枚だけを、図１の装置本体１００Ａ内のプレレジストローラ対１３０に給送するようになっている。排出ローラ対４１は、分離ローラ１２とリタードローラ１３とによって給送されてくるシートを装置本体１００Ａに給送するようになっている。
【００３７】
ピックアップローラ５１（図１）、分離ローラ１２、リタードローラ１３、排出ローラ対４１は、シート収納ユニット３００Ｂに収納されたシートＰを、シート給送方向に給送するシート給送部３００Ｃを構成している。
【００３８】
次に、図３乃至図５に基づいて、ペーパデッキ３００の内部でシート搬送路２１を形成する給紙ユニット２０を説明する。
【００３９】
給紙ユニット２０のシート搬送路２１は、シートの両面を案内する１対のシート案内部としての上ガイド部材２２と下ガイド部材２５とで形成されている。
【００４０】
上ガイド部材２２は、シートＰの上面側を案内するようになっており、一方の側面を上側板２３にビスで固定されることで、上側板２３とで上ガイドユニット２４を形成している。また、上ガイドユニット２４には、ピックアップローラ５１と、分離ローラ１２と、排出ローラ対４１の上ローラ４１ａとが組み込まれている。上ガイドユニット２４は、上側板２３の部分がビス２９１によって、装置本体３００Ａの一部分である上支持部材３４に取付けられて、装置本体３００Ａと一体化されている。
【００４１】
下ガイド部材２５は、シートＰの下面側を案内するようになっており、一方の側面を下側板２６にビスで固定されることで、下側板２６とで下ガイドユニット２７を形成している。また、下ガイドユニット２７には、リタードローラ１３と、排出ローラ対４１の下ローラ４１ｂとが組み込まれている。下ガイドユニット２７は、ビス２９２によって、装置本体３００Ａの一部分である左支持部材３５に取付けられて、装置本体３００Ａと一体化されている。
【００４２】
そして、図３乃至図５に示すように、上ガイド部材２２と下ガイド部材２５との、シート給送方向Ａに沿った両側端部の内、シート収納ユニット３００Ｂの着脱側である手前側端部２２ｃ，２５ｃは、開放されている。
【００４３】
また、上ガイド部材２２と下ガイド部材２５の下流側端部には、装置本体３００Ａの外部に突出した延長部２２ａ，２５ａが形成されている。延長部２２ａ，２５ａは、ペーパデッキ３００から画像形成装置の装置本体１００Ａへシートを確実に案内するために設けられている。さらに、上ガイドユニット２４と下ガイドユニット２７は、接続部材２８によって連結されて給紙ユニット２０を形成している。接続部材２８は、上ガイド部材２２と下ガイド部材２５の下流側端部のブラケット２２ｂ，２５ｂにビス２９３によって渡して設けられ、上ガイドユニット２４と下ガイドユニット２７とを連結している。接続部材２８は、延長部２２ａ，２５ａを避けた位置に、延長部２２ａ，２５ａよりさらに装置本体３００Ａから遠ざかる方向に突出している。そして、図３に示すように、接続部材２８の内側面２８ａは、延長部２２ａ，２５ａよりさらに装置本体３００Ａから遠ざかる位置に位置している。
【００４４】
ペーパデッキ３００の動作を説明する。
【００４５】
ユーザがリフタ台６１にシートを載置する。そして、後端規制板８７とユーザが１対のサイド規制板８０とを移動させて、シートの前後端と側端とを整合する。その後、ユーザが画像形成装置１００に電源が投入する。すると、リフタ台１６が上昇して、リフタ台上の最上位のシートをピックアップローラ５１に適切な力で圧接する。
【００４６】
ピックアップローラ５１（図２）は、不図示の駆動源によって、矢印Ｃ方向に回転して、シートをシート給送方向Ａに給送して、シートを分離ローラ１２とリタードローラ１３とのニップに送り込む。分離ローラ１２とリタードローラ１３は、シートが重なっていないで１枚のとき、そのまま１枚のシートを搬送する。しかし、シートが重なっていると、リタードローラ１３が下側のシートを逆送してリフタ台１６に戻し、上側のシートのみが、分離ローラ１２によって給送される。そして、排出ローラ対４１が、シートを画像形成装置の装置本体１００Ａ内のプレレジストローラ対１０３に給送する。
【００４７】
ペーパデッキ３００は、以上のようにしてシートを画像形成装置の装置本体１００Ａに給送する。しかし、シートがシート搬送路２１のいずれかの位置に詰まることがある。この場合、図７に示すように、ユーザは、詰まったシートを取り除くため、シート収納ユニット３００Ｂを着脱方向Ｂの手前側に引いて、装置本体３００Ａから引き出す。シート収納ユニット３００Ｂは、装置本体３００Ａとシート収納ユニット３００Ｂとの間に設けられたレール８８に案内されて引き出される。このとき、上ガイド部材２２と下ガイド部材２５との手前側端部２２ｃ，２５ｃが開放されているので、詰まったシートＰ２は、障害物に引っ掛かること無く、シート収納ユニット３００Ｂと共に、手前側に引き出すことができる。また、詰まったシートは、除去する際に損傷を受けることが殆どないので、再度、有効に使用される。
【００４８】
なお、シート収納ユニット３００Ｂを手前側に引き出すとき、分離ローラ１２とリタードローラ１３は、不図示のリンク機構によって離間して、シートを挟持している状態が解除されるので、詰まったシートＰ２の除去に何等影響を与えることがない。一方、排出ローラ対４１は、シートを挟持する挟持圧が、分離ローラ１２とリタードローラ１３との挟持圧程、高くないので、分離しなくても、詰まったシートの通過を許容することができる。
【００４９】
また、詰まったシートの先端が、上ガイド部材２２と下ガイド部材２５との延長部２２ａ，２５ａにまで、到達していることがある。この場合、接続部材２８の内側面２８ａが、延長部２２ａ，２５ａよりさらに装置本体３００Ａから遠ざかる位置に位置しているため、詰まったシートは、接続部材２８に引っ掛かることなく、シート収納ユニット３００Ｂと共に、手前側に引き出すことができる。
【００５０】
なお、因みに、接続部材２８を使用しないで、図８に示すように、上ガイドユニット２４と下ガイドユニット２７とを側板９０で接続すると、上ガイド部材２２と下ガイド部材２５との手前側端部２２ｃ，２５ｃを開放することができない。このような構造であると、詰まったシートが側板９０に引っ掛かり、シートの除去に時間を要することがある。また、詰まったシートに損傷が生じて、詰まったシートを再度使用することができないことがある。
【００５１】
本実施形態のペーパデッキ３００は、上ガイド部材２２と下ガイド部材２５との手前側端部２２ｃ，２５ｃが開放されているので、シート収納ユニットを装置本体から引き出すのにともなって、詰まったシートを短時間で、かつ容易に引き出すことができる。また、ペーパデッキ３００は、詰まったシートを短時間で除去できるので、稼働率を向上させることができる。
【００５２】
さらに、本実施形態の画像形成装置は、詰まったシートを短時間で、かつ容易に引き出すことのできるシート収納装置を備えているので、単位時間当たりに画像を形成するシートの枚数を多くすることができる。
【符号の説明】
【００５３】
１２：分離ローラ、１３：リタードローラ、２０：給紙ユニット、２１：シート搬送路、２２：上ガイド部材（シート案内部）、２２ａ：上ガイド部材の延長部、２２ｃ：側端部、２４：上ガイドユニット、２５：下ガイド部材（シート案内部）、２５ａ：下ガイド部材の延長部、２５ｃ：側端部、２７：下ガイドユニット、２８：接続部材、２８ａ：接続部材内側面、１００：画像形成装置、１００Ａ：画像形成装置の装置本体、１２３：画像形成装置の画像形成部、２００：画像読取装置、３００：ペーパデッキ（シート収納装置）、３００Ａ：ペーパデッキの装置本体、３００Ｂ：シート収納ユニット（シート収納部）、３００Ｃ：シート給送部、Ｐ：シート、Ｐ２：詰まったシート、矢印Ａ：シート給送方向、矢印Ｂ：シート収納ユニットの引き出し方向。
【図１】
2016005974.tif 000003
【図２】
2016005974.tif 000004
【図３】
2016005974.tif 000005
【図４】
2016005974.tif 000006
【図５】
2016005974.tif 000007
【図６】
2016005974.tif 000008
【図７】
2016005974.tif 000009
【図８】
2016005974.tif 000010
【図９】
2016005974.tif 000011
【図１０】
2016005974.tif 000012
【図１１】
2016005974.tif 000013